(57)【特許請求の範囲】
【請求項１】
無線通信システムにおいてダウンリンク送信のスケジューリングを行う方法であって、
ａ）チャネル測定サブフレームにおいて、セル内のユーザ機器から直近に受信したフィードバック情報に基づいてユーザ機器のスケジューリングを行い、
ｂ）フィードバック情報の受信に応答して、当該フィードバック情報がユーザ機器によって計算される直前に行われたスケジューリングの結果に基づいてユーザ機器に無線リソースを割り当てる
ことを特徴とするダウンリンク送信のスケジューリング方法。
【請求項２】
前記ステップａ）の後に前記チャネル測定サブフレームに対応するスケジューリング結果を記憶するステップをさらに備えることを特徴とする請求項１に記載のダウンリンク送信のスケジューリング方法。
【請求項３】
記憶したスケジューリング結果を取得するステップと、
取得したスケジューリング結果に従って、非チャネル測定サブフレームに対応するスケジューリング結果を示すサブキャリア割り当てテーブルを更新するステップと
をさらに備えることを特徴とする請求項２に記載のダウンリンク送信のスケジューリング方法。
【請求項４】
前記非チャネル測定サブフレーム内において、前記サブキャリア割り当てテーブルに示されるスケジューリング結果に基づいて前記ユーザ機器のスケジューリングを行うステップを
さらに備えることを特徴とする請求項３に記載のダウンリンク送信のスケジューリング方法。
【請求項５】
スケジューリング結果が、無線リソースと少なくとも１つのユーザ機器の識別子との間のマッピングテーブルであることを特徴とする請求項１から請求項４の何れかに記載のダウンリンク送信のスケジューリング方法。
【請求項６】
前記無線通信システムは、第３世代パートナーシッププロジェクトによるロングタームエボリューションの規格を実装することを特徴とする請求項１から請求項５の何れかに記載のダウンリンク送信のスケジューリング方法。
【請求項７】
前記無線通信システムは、第３世代パートナーシッププロジェクトによるロングタームエボリューションの規格を実装し、
前記チャネル測定サブフレームと前記非チャネル測定サブフレームは、前記ロングタームエボリューションの周波数分割二重化（ＦＤＤ）によるダウンリンクフレームの構造と適合することを特徴とする請求項３又は４に記載のダウンリンク送信のスケジューリング方法。
【請求項８】
無線通信システムにおいてダウンリンク送信をスケジューリングするスケジューリング装置であって、
チャネル測定サブフレームにおいて、セル内のユーザ機器から直近に受信したフィードバック情報に基づいてユーザ機器のスケジューリングを行う手段と、
フィードバック情報の受信に応答して、当該フィードバック情報がユーザ機器によって計算される直前に行われたスケジューリングの結果に基づいてユーザ機器に無線リソースを割り当てる手段と
を備えることを特徴とするスケジューリング装置。
【請求項９】
請求項８に記載のスケジューリング装置を備えることを特徴とする基地局装置。
【請求項１０】
コンピュータ読み取り可能な媒体に格納されるコンピュータプログラムであって、
ノードのデータプロセッサに、
ａ）チャネル測定サブフレームにおいて、セル内のユーザ機器から直近に受信したフィードバック情報に基づいてユーザ機器のスケジューリングを行う動作と、
ｂ）フィードバック情報の受信に応答して、当該フィードバック情報がユーザ機器によって計算される直前に行われたスケジューリングの結果に基づいてユーザ機器に無線リソースを割り当てる動作と
を実行させることを特徴とするコンピュータプログラム。
【発明の詳細な説明】
【技術分野】
【０００１】
本発明は、概して通信システムに関し、特に、無線通信システムにおけるダウンリンク送信のスケジューリング方法および装置に関する。
【背景技術】
【０００２】
大成功を収めたＧＳＭ／ＨＳＰＡ技術を進化させた規格として知られる３ＧＰＰ（第３世代パートナーシッププロジェクト）のＬＴＥ（ロングタームエボリューション）／ＬＴＥ−Ａ（ＬＴＥアドバンスト）規格は、新たな進化を続ける無線アクセス技術の新仕様を構築することを目指すものである。その目標の１つは、スループットの向上やパケット通信レイテンシの低減等により、セルラー通信システムの性能を向上させることにある。ＬＴＥ／ＬＴＥ−Ａシステムには、多数の新技術が組み込まれている。例えば、ＬＴＥ／ＬＴＥ−Ａの物理層（ＰＨＹ）は、空間多重化利得と良好なマルチパス干渉耐性を特徴とするＭＩＭＯ−ＯＦＤＭ技術をベースとしており、これにより見通し外状況でのＬＴＥ／ＬＴＥ−Ａシステムの運用が可能となっている。
【０００３】
ＬＴＥ／ＬＴＥ−Ａシステムの無線リソースは、時間次元、周波数次元、空間次元という３つの次元に分類できる。時間領域および周波数領域のリソース構造は、ＯＦＤＭシンボルとサブキャリアとで形成される。ＬＴＥ／ＬＴＥ−Ａシステムでは、無線フレームの長さは１０ｍｓで、これがさらに長さ１ｍｓの１０個のサブフレームに分割される。周波数領域では、ＯＦＤＭ帯域幅全体が多数のサブキャリアに分割され、その各サブキャリアと１個のＯＦＤＭシンボルの組み合わせは「リソース要素」と呼ばれる。リソース要素は、無線リソースの最小単位である。１２個のサブキャリアは１つのリソースブロックにまとめられ、各リソースブロックの持続時間は１スロットである。リソースブロックは数個ずつが結合されて、１つのサブバンドを形成する。サブバンドは、ユーザ機器（ＵＥ）がデータ送信を行うために割り当てられる最小のリソース単位である。
【０００４】
典型的なマルチセルＬＴＥ／ＬＴＥ−Ａシステムでは、システム内に複数のセルが存在する。ＵＥは、個々の無線インターフェースを介して、基地局（すなわち、ｅＮＢ）とのデータの送受信を行う。ｅＮＢは、コアネットワークに属するＥＰＣ（進化したパケットコア）に接続されている。
【０００５】
典型的なシングルセルＬＴＥ／ＬＴＥ−Ａシステムは、ｅＮＢによって割り当てられたサブバンド上で当該ｅＮＢと通信を行う複数のＵＥを含むことができる。
【０００６】
各ＵＥは、ｅＮＢから送信されたデータシンボルと基準信号を受信する。ＵＥは、受信したシンボルと基準信号に基づいて、チャネル品質指標（ＣＱＩ）、プリコーディングマトリックス指標（ＰＭＩ）、ＡＣＫ／ＮＡＣＫ等のフィードバック情報を計算する。ＵＥは、計算によって得られたフィードバック情報を、物理アップリンク制御チャネル（ＰＵＣＣＨ）または物理アップリンク共有チャネル（ＰＵＳＣＨ）を介してｅＮＢに送信する。ＵＥがフィードバック情報の計算を完了する時点とｅＮＢがこのフィードバック情報を受信する時点との間には、ある程度の遅延が生じるのが一般的である。ここでは、この遅延が６ｍｓであるする。
【０００７】
ｅＮＢは、例えば平均スループット／遅延／公平性という一連の性能指標を最適化するために、いくつかのスケジューリングアルゴリズムを適用して、複数個のＵＥに時間／周波数／空間の各リソースを割り当てる。ＵＥに対する時間／周波数／空間リソースのスケジューリングが完了すると、ｅＮＢは、割り当てたリソース（時間および周波数）にＵＥのデータをマッピングし、次のサブフレームでＵＥのデータを送信する。
【０００８】
ただし、ＵＥからのフィードバック情報には遅延があるため、ｅＮＢが複数個のＵＥにリソースを割り当てる時点においては、そのフィードバック情報はかなり不正確である。
【０００９】
図１は、ＬＴＥ／ＬＴＥ−Ａシステムの典型的な無線フレームである。このフレームは１０個のサブフレームを含んでいる。ＵＥは、チャネル測定サブフレーム０および５において、基準信号かまたはｅＮＢからダウンリンク送信されたデータシンボルに基づいてフィードバック情報を計算する。そしてサブフレーム１および６において、計算したフィードバック情報をｅＮＢに報告する。しかし、送信上の遅延と処理上の遅延が双方で発生するため、サブフレーム０において計算され遅延して到着したフィードバック情報をｅＮＢが利用できるようになるのは、サブフレーム７においてである。サブフレーム７を起点とすれば、ｅＮＢは次のフィードバック情報が到着するまでの間、すでに報告されているフィードバック情報を使用してリソースを割り当てることになる。しかし、このフィードバック情報は、サブフレーム０でＵＥによって計算されたものである。つまり、ｅＮＢによるＵＥのスケジューリングは、以前のフィードバック情報に基づいて行われるのである。したがって、このフィードバック情報は、実際のチャネル情報と一致しない。
【００１０】
こうした無線通信システム内で動作するＵＥにより感知される干渉の時間的変動を低減するため、米国特許出願公開第ＵＳ２００９／００６９０５４Ａ１号は、複数個存在するｅＮＢの各々において、線形プリコーディング設定をスーパーフレーム間隔にわたって固定したまま維持する解決策を提示している。この関連技術による解決策では、ｅＮＢはプリコーディングされた無線リソースを、ＵＥのフィードバックで報告されるプリコーディング情報（例えば、プリコーディングマトリックス指標（ＰＭＩ））と共に複数個のＵＥに割り当てる必要がある。個々のサブキャリアに含まれるプリコーディング情報は、１フレームの間固定されたままである。つまり、ｅＮＢは、サブフレーム０において、以前にＵＥから受信したフィードバックに基づいて無線リソースを複数個のＵＥに割り当てるが、個々のサブキャリアに割り当てられたプリコーディングマトリックスは、フレームの全長にわたって一定となり、次のフレームが開始された時点で初めて変えることができる。
【先行技術文献】
【特許文献】
【００１１】
【特許文献１】米国特許出願公開第ＵＳ２００９／００６９０５４Ａ１号
【発明の概要】
【発明が解決しようとする課題】
【００１２】
しかし、各サブキャリア／サブバンド内のプリコーディング情報は１つのフレームが終わるまで変化しないとはいえ、フィードバックに遅延があるため、フィードバック情報が正確であるのはサブフレームのごく一部に限られる。ｅＮＢはサブフレーム７まではフィードバックを受信しないので、ＵＥのフィードバック情報が信頼できるのは、無線フレームｎのサブフレーム７〜９であることは明らかである。サブフレーム０〜６に関しては、ｅＮＢは直前のフレーム（フレームｎ−１）のフィードバック情報を使用して、ＵＥの送信に利用される無線リソースをスケジューリングする（例えば、伝送速度適応など）。そのため、フィードバック情報とスケジューリング結果（すなわち、各サブキャリア／サブバンド内のプリコーディング情報）は、これらのサブフレームでは一致しない。よって、この方法では、フィードバックが信頼できないという問題は依然として残る。
【００１３】
したがって、無線通信システムにおいて、信頼性の低いフィードバックの影響をさらに軽減できる、ダウンリンク送信のスケジューリング方式に対するニーズが存在する。
【００１４】
本発明は、関連技術の問題を解決するため、無線通信システムにおけるダウンリンク送信時のセル間干渉を、複数個のサブフレームにわたってより安定にすることにより、ＵＥからのフィードバック情報の信頼性の低さを軽減することを目的とする。
【課題を解決するための手段】
【００１５】
本発明の１つの態様によれば、
無線通信システムにおいてダウンリンク送信のスケジューリングを行う方法であって、
ａ）チャネル測定サブフレームにおいて、セル内のユーザ機器から直近に受信したフィードバック情報に基づいてユーザ機器のスケジューリングを行い、
ｂ）フィードバック情報の受信に応答して、当該フィードバック情報がユーザ機器によって計算される直前に行われたスケジューリングの結果に基づいてユーザ機器に無線リソースを割り当てる
ことを特徴とするダウンリンク送信のスケジューリング方法を提供する。
【００１６】
本発明のさらに他の態様によれば、
コンピュータ読み取り可能な媒体に格納されるコンピュータプログラムであって、
ノードのデータプロセッサに、
ａ）チャネル測定サブフレームにおいて、セル内のユーザ機器から直近に受信したフィードバック情報に基づいてユーザ機器のスケジューリングを行う動作と、
ｂ）フィードバック情報の受信に応答して、当該フィードバック情報がユーザ機器によって計算される直前に行われたスケジューリングの結果に基づいてユーザ機器に無線リソースを割り当てる動作と
を実行させることを特徴とするコンピュータプログラムを提供する。
【発明の効果】
【００１７】
本発明によれば、無線通信システムにおけるダウンリンク送信時のセル間干渉を、複数個のサブフレームにわたってより安定にすることにより、ＵＥからのフィードバック情報の信頼性の低さが軽減する。
【図面の簡単な説明】
【００１８】
本発明の特徴とみなされる独創的な側面は、付記された請求項において規定される。しかし、本発明、本発明の実施方法、その他の目的、特徴および利点は、添付図面を参照しつつ、例示的な実施例に関する下記の詳細な説明を読むことにより、より明確に理解されよう。
【００１９】
【図１】１０個のサブフレームを含む、ＬＴＥ／ＬＴＥ−Ａシステムの典型的な無線フレームを示す。
【図２】本発明の１つの実施例を実装することが可能な無線通信システムを示す。
【図３】本発明の１つの実施例による基地局の概略ブロック図である。
【図４】本発明の１つの実施例による、基地局における割り当て記憶手段の例示的な実装の概略図である。
【図５】本発明の１つの実施例による、基地局の割り当て記憶手段に記憶されたスケジューリング結果の概略図である。
【図６】本発明の１つの実施例による、基地局における処理のフローチャートである。
【図７】本発明の当該実施例の１つの実装による、サブキャリア割り当てテーブルの例示的な更新処理の概略図である。
【図８】本発明の１つの実施例による、スケジューリング時間シーケンスの例の概略図である。
【発明を実施するための形態】
【００２０】
以下では、図面を参照しながら本発明の実施例について説明する。以下の説明においては、本発明がより包括的に理解されるよう、多数の具体的な詳細が示されている。しかし、本発明の実装にこうした詳細は含まれなくてもよいことは当業者には明らかである。さらに、本発明は以下で説明する特定の実施例に限定されないことは理解されるであろう。むしろ以下の特徴および要素のいかなる任意の組み合わせも、複数の異なる実施例が関与する場合も含めて、本発明を実装および実行するものとみなすことができる。したがって、以下の態様、特徴、実施例および利点は、説明のみを目的とするものであり、添付請求項で明示的に規定されていない限り、当該請求項の要素もしくは限定であると理解されるべきではない。
【００２１】
図２は、本発明の１つの実施例を実装することが可能な無線通信システムを示す。
【００２２】
図２に示すように、基地局１０は、そのセル内で、複数個のＵＥ（例としてＵＥ１０１、１０２のみを示す）にサービスを提供している。基地局１０は、ＵＥ１０１、１０２に、少なくとも両ＵＥによって定期的に計算・報告される両ＵＥからのフィードバック情報に基づいて、無線リソースを割り当てる。したがって、ＵＥ１０１、１０２は、基地局１０によって割り当てられた無線リソースを介して基地局１０と通信を行う。
【００２３】
基地局１０は、第３世代パートナーシッププロジェクト（３ＧＰＰ）によるロングタームエボリューション（ＬＴＥ）の規格を実装する無線通信ネットワークにおいて動作するように構成することができる。この基地局は、ＬＴＥ／ＬＴＥ−ＡシステムではｅＮＢと呼ばれる。言うまでもなく、これは限定を目的としたものではなく、これらの教示の様々な実施例は、本質的には、少なくともＵＥからのフィードバックに基づくリソース割り当てを採用するあらゆる無線通信ネットワークに適用できる。
【００２４】
上述したように、フィードバック情報は、基地局１０によって受信され、ＵＥをスケジューリングするための基礎情報として使用される時点では、信頼性と正確性が欠如している。基本的に、フィードバック情報の信頼性と正確性に影響を与える主な要因は２つある。第１の要因は、チャネルは時間変動チャネルの可能性があることである。例えば、ＵＥの移動が原因で生じるドップラーシフトは、無線チャネルに経時変動を引き起こす可能性がある。第２の要因は、セル内の各ＵＥへの無線リソース（サブキャリア、サブバンド等）の割り当てに関連するセル間干渉は、ＵＥによって計算・報告されたフィードバック情報が、送信と処理による双方での遅延後に基地局１０で利用可能になったときには、変化している可能性があることである。例えば、サブフレーム０において、ＵＥは、その時点のセル間信号強度とセル間干渉とに基づいて、ＵＥのフィードバック情報を計算する。セル間干渉は、基地局１０が利用する各サブフレーム内のスケジューリングアルゴリズムにより、図１のサブフレーム間で変動すると考えられる。そのため、ＵＥのフィードバックがサブフレーム７において基地局１０に利用可能になる時点では、フィーバック情報はセル間干渉の変動により信頼性に欠け、不正確なものとなる。
【００２５】
本発明の発明者は、基地局１０において適切なダウンリンク送信用スケジューリングスキームを採用することによって、フィードバック情報の信頼性の低さと不正確性を効果的に軽減できることを考案した。具体的には、遅延したフィードバック情報が基地局１０によって受信されると、基地局１０は、ＵＥによってフィードバック情報が計算された時点でＵＥのスケジューリングに使用されたスケジューリング結果を使用して、セル内のＵＥをスケジューリングする。そのため、このスケジューリング手順の実行中におけるセル間干渉ははるかに安定であり、フィードバック情報の信頼性の低さと不正確性を効果的に軽減することができる。
【００２６】
図３は、本発明の１つの実施例による基地局の概略ブロック図である。
【００２７】
図３において、参照番号１０は、本発明の１つの実施例による基地局（例えば、図１の無線通信の基地局１０）を示す。基地局１０は、一連の性能指標を最適化するために、いくつかのスケ―ジューリングスキーム／アルゴリズムを適用して、複数個のＵＥに関係するスケジューリング結果を生成するスケジューリング手段１１０と、スケジューリング手段１１０により生成されたスケジューリング結果に基づき、ＵＥに無線リソースを割り当てるための割り当て手段１２０と、チャネル測定サブフレームに対応するスケジューリング結果を記憶する割り当て記憶手段１３０とを備える。
【００２８】
基地局１０でのスケジューリング手段１１０の目標は、ＵＥからのフィードバック情報に基づいて、複数個のＵＥに時間／周波数／空間リソースを割り当てるステップにいくつかのスケジューリングアルゴリズムを適用することによって、例えば平均スループット／遅延／公平性という一連の性能指標を最適化することである。一例を挙げれば、ＰＦ（Ｐｒｏｐｏｒｔｉｏｎａｌ  Ｆａｉｒｎｅｓｓ：比例公平）は、広く普及しているアルゴリズムの１つであり、３ＧＰＰ  ＬＴＥの性能評価において、動作スケジューリングアルゴリズムの事実上のデフォルトとして採用されている。ＰＦスケジューリングアルゴリズムでは、次のサブフレーム／サブバンドでの送信機会は、全ＵＥ中最も高い比率Ｍを有するＵＥに与えられると定義されている。ここで、Ｍは次の式を満たす値である。
【数１】
0005528624.tif 000002
【００２９】
ここで、Ｒｃｕｒｒｅｎｔは、スケジューリング時点におけるＵＥの瞬間レートである。Ｒｃｕｒｒｅｎｔは、リンク適応関数に基づいて、フィードバックのＣＱＩにより決定される。Ｒｈｉｓｔｏｒｙはいつくかの時間間隔／サブバンドにわたるＵＥの履歴平均スループットである。
【００３０】
任意の方法として、本発明の当該実施例の１つの実装によれば、スケジューリング手段１１０は、非チャネル測定サブフレームに対応するスケジューリング結果を記述するために、サブキャリア割り当てテーブルを保持するように構成することができる。このスケジューリング結果は割り当て手段１２０に提供され、割り当て手段１２０はその後、スケジューリング結果に従って、セル内のＵＥに無線リソースを割り当てる。サブキャリア割り当てテーブルは、基地局でフィードバックが利用可能であれば、新しいスケジューリング結果を用いて更新できる。スケジューリング手段１１０は、この更新されたサブキャリア割り当てテーブルに基づいて、サブキャリア割り当てテーブルで示されたＵＥと同一または類似のＰＭＩを有するＵＥに対し、サブキャリア／サブバンドをスケジューリングすることができる。この割り当ては、比例公平または他の指標に基づいて実行することも可能である。
【００３１】
無線リソース（時間／周波数／空間リソース）が複数個のＵＥに対してスケジューリングされている場合、割り当て手段１２０は、ＵＥのデータを対応する無線リソースにマッピングする。割り当て手段１２０による無線リソースの割り当ては、スケジューリング手段１１０により決定されたスケジューリング結果に基づいて、各サブフレームについて実行される。
【００３２】
本発明の当該実施例によれば、基地局１０に割り当て記憶手段１３０が導入される。基地局１０は、チャネル測定サブフレーム（例えば、サブフレーム０または５）において、基地局１０によって直近に受信されたＵＥのフィードバック情報に基づいて、ＵＥをスケジューリングする。次に、チャネル測定サブフレームに対応するスケジューリング結果は、リソース割り当てのために割り当て手段１２０に提供されることに加えて、後の使用のために割り当て記憶手段１３０にさらに保存される。
【００３３】
上述したように、ＵＥにより計算された当該チャネル測定サブフレーム内のフィードバック情報は、基地局１０において、ある程度の遅延（例えば、６ｍｓ）の後に受信される。フィードバック情報を受信した後、スケジューリング手段１１０は現在のサブフレームにおいて、割り当て記憶手段１３０に記憶されているスケジューリング結果を使用してセル内のＵＥをスケジューリングする。任意の方法として、スケジューリング手段１１０は、割り当て記憶手段１３０に記憶されているスケジューリング結果でサブキャリア割り当てテーブルを更新することができる。
【００３４】
本発明の１つの実施例によれば、割り当て記憶手段１３０は、メモリのブロックとして実施することができる。図４は、本発明の１つの実施例による、基地局１０における割り当て記憶手段１３０の例示的な実装の概略図である。図４に示すように、スケジューリング対象のチャネル測定サブフレームについて、ＵＥから以前に受信したフィードバック情報に基づいてスケジューリング手段１１０によって生成された、対応するスケジューリング結果が記憶される。スケジューリング結果は、無線リソース（例えば、サブキャリア）とＵＥの識別子との間のマッピングテーブルである。図５は、本発明の１つの実施例による、基地局１０の割り当て記憶手段１３０に記憶されている例示的なスケジューリング結果である。図５に示すように、スケジューリング結果においては、システム内で使用されている全サブキャリアの各々が、スケジューリング対象の１つの特定のＵＥにマッピングされる。
【００３５】
図４および図５は、割り当て記憶手段１３０のデータ構造の１つの例示的な実装を提示しているに過ぎず、本発明の限定として解釈すべきでないことは理解されるであろう。当業者はこの割り当て記憶手段１３０の実装を具体的な使用状況に合わせて適応できるが、こうした適応や修正は本発明の概念から逸脱するものではない。
【００３６】
図６は、本発明の１つの実施例による、基地局における処理のフローチャートである。
【００３７】
処理のフローチャートは、ステップ６００から始まる。
【００３８】
ステップ６１０において、現在のサブフレームがチャネル測定サブフレームか否かが判定される。図１のＬＴＥ／ＬＴＥ−Ａシステムの無線フレームにおいては、チャネル測定サブフレームはサブフレーム０または５であり、ＵＥはそこで、基地局からダウンリンク送信された基準信号またはデータシンボルに基づいてフィードバック情報を計算する。
【００３９】
具体的には、図３に示すスケジューリング手段１１０が、各サブフレームにおいて、ＰＦスケジューリングアルゴリズム等のスケジューリングアルゴリズムを使用して、複数個のＵＥに無線リソースをスケジューリングする。セル内の各ＵＥは基地局１０によって同期されるため、スケジューリング手段１１０は、具体的な送信タイミングについての情報を保持している。そのため、スケジューリング手段１１０は、今がチャネル測定サブフレームのタイミングかどうかを容易に判定できる。
【００４０】
ステップ６０１において、判定結果が「はい」の場合には、処理フローはステップ６０２に進み、判定結果が「いいえ」の場合には、処理フローはステップ６０４に進む。
【００４１】
現在のサブフレームがチャネル測定サブフレームである場合、ステップ６０２において、基地局によって直近に受信されたＵＥのフィードバック情報（ＰＭＩ、ＣＱＩ等）に基づいて、セル内のＵＥに対する無線リソースのスケジューリングが、例えばスケジューリング手段１１０によって行われる。つまり、フィードバック情報に基づいて、チャネル測定サブフレームに対応する新しいスケジューリング結果が、スケジューリング手段１１０によって生成されるのである。
【００４２】
ステップ６０３においては、チャネル測定サブフレームに対応するスケジューリング結果は、割り当てのために割り当て手段１２０に提供されることに加えて、例えば図３の割り当て記憶手段１３０に記憶される。スケジューリング結果は、図５に図示するような、無線リソース（サブキャリア／サブバンド等）とＵＥの識別子との間のマッピングテーブルであってもよい。
【００４３】
次に、処理フローはステップ６０８に進む。ステップ６０８において、サブキャリア／サブバンドは、チャネル測定サブフレームに対応するスケジューリング結果に基づいて、例えば割り当て手段１２０によって、複数個のＵＥに割り当てられる。
【００４４】
現在のサブフレームが非チャネル測定サブフレームである場合には、ステップ６０４において、現在のサブフレーム内にＵＥのフィードバック情報が受信されているか否かが判定される。
【００４５】
ステップ６０４において、判定結果が「はい」の場合には、処理フローはステップ６０５に進み、判定結果が「いいえ」の場合には、処理フローは直接ステップ６０７に進む。
【００４６】
現在のサブフレームでＵＥのフィードバック情報が基地局１０に到着している場合には、ステップ６０５において、割り当て記憶手段に記憶されているチャネル測定サブフレームに対応するスケジューリング結果が、スケジューリング手段１１０によって取得される。このチャネル測定サブフレーム内では、受信されたフィードバック情報がＵＥによって計算済みである。
【００４７】
任意の方法として、本発明の当該実施例の１つの実装によれば、ステップ６０６において、スケジューリング手段１１０は、割り当て記憶手段１３０から取得されたスケジューリング結果に従って、スケジューリング手段１１０内に保持されているサブキャリア割り当てテーブルを更新してもよい。スケジューリング手段１１０内のサブキャリア割り当てテーブルは、一般に、非チャネル測定サブフレーム内において実際にサブキャリア割り当てを行う際の基礎情報として割り当て手段１２０に提供されるスケジューリング結果を示している。
【００４８】
図７は、本発明の当該実施例の１つの実装による、サブキャリア割り当てテーブルの例示的な更新処理である。図７に示すように、サブキャリア割り当てテーブルの構造は、図５に示すサブキャリア割り当てテーブルと同じように構成することができる。スケジューリング手段１１０内のサブキャリア割り当てテーブルは、非チャネル測定サブフレームに対応するスケジューリング結果を記憶している。新しいフィードバック情報が現在のサブフレームに到着すると、サブキャリア割り当てテーブルは、割り当て記憶手段１３０から取得されたスケジューリング結果を用いて更新される。サブキャリア割り当てテーブル内に記憶されているスケジューリング結果は、非チャネル測定サブフレーム内において実際にサブキャリア割り当てを行う際の基礎情報として割り当て手段１２０に提供される。
【００４９】
ステップ６０７において、ＵＥはサブキャリア割り当てテーブルに従ってスケジューリングされ、その結果は無線リソース割り当てのために割り当て手段１２０に提供される。
【００５０】
現在のサブフレームにおいて、新しいフィードバックが利用可能ではない場合には、処理フローは直接ステップ６０７に進む。ステップ６０７では、サブキャリア割り当てテーブルに対する更新は実行されず、スケジューリング手段１１０は、現在のサブキャリア割り当てテーブルに従って、ＵＥにサブキャリア／サブバンドをスケジューリングする。
【００５１】
次に、処理フローはステップ６０８に進む。ステップ６０８において、サブキャリア／サブバンドは、サブキャリア割り当てテーブルに示されるスケジューリング結果に基づいて、例えば割り当て手段１２０によって、複数個のＵＥに割り当てられる。
【００５２】
処理のフローチャートは、ステップ６０９で終了する。
【００５３】
図６のフローチャートから、チャネル測定サブフレームに対応するスケジューリング結果は、チャネル測定サブフレームに無線リソースを割り当てるための基礎情報として使用されることに加えて、記憶されることが明らかである。遅延したフィードバック情報が基地局１０によって受信されると、基地局１０は、セル内のＵＥをスケジューリングするため、ＵＥによりフィードバック情報が計算された際にＵＥのスケジューリングに使用された記憶済みスケジューリング結果を取得する。これにより、スケジューリング手順の実行中におけるセル間干渉ははるかに安定になり、ひいては、フィードバック情報の信頼性の低さと不正確性を効果的に軽減することができる。
【００５４】
図８は、本発明の１つの実施例による、スケジューリング時間シーケンスの例である。
【００５５】
図８は、典型的なＬＴＥの周波数分割二重化（ＦＤＤ）によるダウンリンクフレームの構造を示している。
【００５６】
サブフレーム０および５において、セル内のＵＥはチャネル測定を実行し、フィードバック情報（ＰＭＩ、ＣＱＩ等）を計算する。
【００５７】
サブフレーム１および６において、ＵＥは、チャネル測定サブフレーム０および５において各々計算されたフィードバック情報を基地局に送信する。伝送と処理の遅延により、フィードバック情報が基地局によって受信されたときには６ｍｓの遅延が生じている。例えば、サブフレーム０において計算されたフィードバック情報は、サブフレーム７において基地局によって受信され、サブフレーム５において計算されたフィードバック情報は、次のＦＤＤフレーム（フレームｎ＋１）のサブフレーム２において基地局によって受信される。
【００５８】
また、基地局のスケジューリング手段は、各チャネル測定サブフレーム（すなわち、サブフレーム０および５）において、直近に受信したＵＥのフィードバック情報に基づいて、セル内のＵＥをスケジューリングし、そのスケジューリング結果を割り当てのための基礎情報として使用することに加えて、割り当て記憶手段に記憶する。例えば、スケジューリング手段は、フレームｎのサブフレーム０において、現在のサブフレームがチャネル測定サブフレームであるか否かを判定する（６０１）。基地局のスケジューリング手段は、フレームｎ−１のサブフレーム７において受信されたＵＥのフィードバック情報に基づいて、セル内のＵＥをスケジューリングする（６０２）。フレームｎ−１のサブフレーム７において受信されたフィードバック情報に基づくスケジューリング結果は、後に使用するために、割り当て記憶手段に記憶される（６０３）。
【００５９】
基地局は、６ｍｓの遅延の後（すなわち、フレームｎのサブフレーム７において）、フレームｎのサブフレーム０においてＵＥによって計算され遅延して到着したフィードバック情報を受信する。基地局のスケジューリング手段は、現在のサブフレームにおいてＵＥのフィードバック情報が受信されているというスケジューリング手段の判定（６０４）を受けて、割り当て記憶手段から、フレームｎのサブフレーム０に対応するスケジューリング結果を取得し（６０５）、その結果に応じてサブキャリア割り当てテーブルを更新する（６０６）。
【００６０】
フレームｎのサブフレーム７〜９およびフレームｎ＋１のサブフレーム１（フレームｎ＋１のサブフレーム０は除外）において、基地局のスケジューリング手段は、サブキャリア割り当てテーブルに従って、サブキャリア／サブバンドをＵＥにスケジューリングする（６０７）。割り当ては、比例公正アルゴリズムを使用して、スケジューリングされたＵＥは、サブキャリア割り当てテーブルのサブキャリア／サブバンドにマッピングされたＵＥと同一または類似のＰＭＩ／ＣＱＩを有さなければならないという制約を課して行うこともできる。ここで、上述したスケジューリングロジックからフレームｎ＋１のサブフレーム０が除外されていることに留意されたい。これは、このチャネル測定サブフレームでは、基地局のスケジューリング手段は、フレームｎのサブフレーム７において直近に受信されたフィードバック情報に基づいて、ＵＥをスケジューリングするためである。
【００６１】
同様に、スケジューリング手段は、フレームｎのサブフレーム５においては、現在のサブフレームがチャネル測定サブフレームであるか否かを判定する（６０１）。基地局のスケジューリング手段は、フレームｎのサブフレーム２において受信されたＵＥのフィードバック情報に基づいて、セル内のＵＥをスケジューリングする（６０２）。フレームｎのサブフレーム２において受信されたフィードバック情報に基づくスケジューリング結果は、後で使用するために、割り当て記憶手段に記憶される（６０３）。
【００６２】
フレームｎ＋１のサブフレーム２において、基地局は、フレームｎのチャネル測定サブフレーム５においてＵＥによって計算され遅延して到着したフィードバック情報を受信する。基地局のスケジューリング手段は、現在のサブフレームにおいてＵＥのフィードバック情報が受信されているというスケジューリング手段の判定（６０４）を受けて、割り当て記憶手段から、フレームｎのサブフレーム５に対応するスケジューリング結果を取得し（６０５）、その結果に応じてサブキャリア割り当てテーブルを更新する（６０６）。
【００６３】
基地局のスケジューリング手段は、フレームｎ＋１のサブフレーム２〜４およびフレームｎ＋１のサブフレーム６（フレームｎ＋１のサブフレーム５は除外）において、サブキャリア割り当てテーブルに従って、サブキャリア／サブバンドをＵＥにスケジューリングする（６０７）。
【００６４】
上記の説明から、本発明の実施例によるスケジューリング処理の完了後には、セル内のＵＥからのフィードバック情報は、チャネル測定サブフレームを除くすべてのサブフレームに関して、セル間干渉の点で信頼できることが当業者には理解されよう。このように、本発明の実施例により、フィードバック情報の正確性を向上させ、かつＵＥのフィードバック情報の信頼性の低さを効果的に軽減することができる。
【００６５】
上記では、図６および図８を参照しながら、本発明の１つの実施例による基地局のスケジューリング処理について詳細に説明した。ここで、上記の説明は例示に過ぎず、本発明を制限するものではないことに留意されたい。本発明の他の実施例においては、上記の方法のステップ数を増減し、または一部のステップを異なるステップに入れ替えることができる。また、ステップへの番号の付与は、単に説明を簡潔・明確にするためであり、各ステップ間の順序を厳密に限定するものではない。またステップの順序は上記の説明と異なっていてもよい。例えば、いくつかの実施例においては、上記の１つまたはそれ以上の任意のステップを省略することができる。各ステップの具体的な実施形態は、上記の説明と異なっていてもよい。こうした変形は、すべて本発明の精神および範囲に含まれる。
【００６６】
一般に、上記の例示的な各実施例は、ハードウェア、専用回路、ソフトウェア、ロジック、またはこれらの組み合わせとして実装することができる。例えば、一部の態様はハードウェアとして実装し、他の態様は、コントローラ、マイクロプロセッサ等のコンピュータ機器によって実行できるファームウェアまたはソフトウェアとして実装する、ということも可能であるが、本発明はこれに限定されるものではない。本発明の様々な態様の例示的な実施例は、ブロック図および信号図として図示および説明できるが、本明細書で説明したこれらのブロック、装置、システム、技法、または方法は、非限定的な例を挙げれば、ハードウェア、ソフトウェア、ファームウェア、専用回路もしくはロジック、汎用ハードウェアもしくはコントローラ等の計算装置、またはこれらの組み合わせとして実装可能であることは、十分に理解されるであろう。
【００６７】
したがって、本発明の例示的な実施例の少なくともいくつかの態様は、集積回路チップおよびモジュール等の各種コンポーネントとして実施できることも理解されるはずである。当技術分野では周知のとおり、集積回路の設計は、概して高度に自動化された工程である。
【００６８】
本発明は、本明細書で説明した方法を実現できるすべての機能を備え、コンピュータシステムにロードされることで当該方法を実現する、コンピュータプログラム製品としても実施が可能である。
【００６９】
以上、好適な実施例を参照しながら、本発明を具体的に例示し、説明してきた。本発明の精神および範囲から逸脱することなく、本発明の形態および詳細に様々な改変を加えることが可能であることは、当業者によって理解されるであろう。
【００７０】
さらに、上記実施形態の一部又は全部は、以下の付記のようにも記載されうるが、これに限定されない。
【００７１】
（付記１）
無線通信システムにおいてダウンリンク送信のスケジューリングを行う方法において、
ａ）チャネル測定サブフレームにおいて、ユーザ機器から直近に受信したフィードバック情報であって、ユーザ機器がチャネル測定サブフレームにおいて報告すべきフィードバック情報として計算したフィードバック情報に基づいてセル内のユーザ機器のスケジューリングを行い、
ｂ）フィードバック情報の受信に応答して、当該チャネル測定サブフレームに対応するスケジューリング結果に基づいてユーザ機器のスケジューリングを行う
ことを特徴とするダウンリンク送信のスケジューリング方法。
【００７２】
（付記２）
前記ステップａ）の後に前記チャネル測定サブフレームに対応するスケジューリング結果を記憶するステップをさらに備えることを特徴とする付記１に記載のダウンリンク送信のスケジューリング方法。
【００７３】
（付記３）
記憶したスケジューリング結果を取得するステップと、
取得したスケジューリング結果に従って、非チャネル測定サブフレームに対応するスケジューリング結果を示すサブキャリア割り当てテーブルを更新するステップと
をさらに備えることを特徴とする付記２に記載のダウンリンク送信のスケジューリング方法。
【００７４】
（付記４）
前記非チャネル測定サブフレーム内において、前記サブキャリア割り当てテーブルに示されるスケジューリング結果に基づいて前記ユーザ機器のスケジューリングを行うステップを
さらに備えることを特徴とする付記３に記載のダウンリンク送信のスケジューリング方法。
【００７５】
（付記５）
スケジューリング結果が、無線リソースと少なくとも１つのユーザ機器の識別子との間のマッピングテーブルであることを特徴とする付記１から付記４の何れかに記載のダウンリンク送信のスケジューリング方法。
【００７６】
（付記６）
前記無線通信ネットワークは、第３世代パートナーシッププロジェクトによるロングタームエボリューションの規格を実装することを特徴とする付記１から付記５の何れかに記載のダウンリンク送信のスケジューリング方法。
【００７７】
（付記７）
前記チャネル測定サブフレームと前記非チャネル測定サブフレームは、前記ＬＴＥの周波数分割二重化（ＦＤＤ）によるダウンリンクフレームの構造と適合することを特徴とする付記６に記載のダウンリンク送信のスケジューリング方法。
【００７８】
（付記８）
無線通信システムにおいてダウンリンク送信をスケジューリングするスケジューリング装置であって、
チャネル測定サブフレームにおいて、ユーザ機器から直近に受信したフィードバック情報であって、ユーザ機器がチャネル測定サブフレームにおいて報告すべきフィードバック情報として計算したフィードバック情報に基づいてセル内のユーザ機器のスケジューリングを行う手段と、
フィードバック情報の受信に応答して、当該チャネル測定サブフレームに対応するスケジューリング結果に基づいてユーザ機器のスケジューリングを行う手段と
を備えることを特徴とするスケジューリング装置。
【００７９】
（付記９）
前記チャネル測定サブフレームに対応するスケジューリング結果を記憶させる手段をさらに備えることを特徴とする付記８に記載のスケジューリング装置。
【００８０】
（付記１０）
記憶したスケジューリング結果を取得する手段と、
取得したスケジューリング結果に従って、非チャネル測定サブフレームに対応するスケジューリング結果を示すサブキャリア割り当てテーブルを更新する手段と
をさらに備えることを特徴とする付記９に記載のスケジューリング装置。
【００８１】
（付記１１）
前記非チャネル測定サブフレーム内において、前記サブキャリア割り当てテーブルに示されるスケジューリング結果に基づいて前記ユーザ機器のスケジューリングを行う手段を
さらに備えることを特徴とする付記１０に記載のスケジューリング装置。
【００８２】
（付記１２）
スケジューリング結果が、無線リソースと少なくとも１つのユーザ機器の識別子との間のマッピングテーブルであることを特徴とする付記８から付記１１の何れかに記載のスケジューリング装置。
【００８３】
（付記１３）
前記無線通信ネットワークは、第３世代パートナーシッププロジェクトによるロングタームエボリューションの規格を実装することを特徴とする付記８から付記１２の何れかに記載のスケジューリング装置。
【００８４】
（付記１４）
前記チャネル測定サブフレームと前記非チャネル測定サブフレームは、前記ＬＴＥの周波数分割二重化（ＦＤＤ）によるダウンリンクフレームの構造と適合することを特徴とする付記１３に記載のスケジューリング装置。
【００８５】
（付記１５）
付記８から付記１４の何れかに記載のスケジューリング手段を備えることを特徴とする基地局装置。
【００８６】
（付記１６）
前記チャネル測定サブフレームに対応するスケジューリング結果を記憶する割り当て記憶手段をさらに備えることを特徴とする付記１５に記載の基地局装置。
【００８７】
（付記１７）
コンピュータ読み取り可能な媒体に格納されるコンピュータプログラムであって、
ノードのデータプロセッサに、
ａ）チャネル測定サブフレームにおいて、ユーザ機器から直近に受信したフィードバック情報であって、ユーザ機器がチャネル測定サブフレームにおいて報告すべきフィードバック情報として計算したフィードバック情報に基づいてセル内のユーザ機器のスケジューリングを行う動作と、
ｂ）フィードバック情報の受信に応答して、当該チャネル測定サブフレームに対応するスケジューリング結果に基づいてユーザ機器のスケジューリングを行う動作と
を実行させることを特徴とするコンピュータプログラム。
【符号の説明】
【００８８】
１０：基地局
２０１：ＵＥ
１１０：スケジューリング手段
１２０：割り当て手段
１３０：割り当て記憶手段
【図１】
0005528624.tif 000003
【図２】
0005528624.tif 000004
【図３】
0005528624.tif 000005
【図４】
0005528624.tif 000006
【図５】
0005528624.tif 000007
【図６】
0005528624.tif 000008
【図７】
0005528624.tif 000009
【図８】
0005528624.tif 000010